【事件の表示】
　特願２０１７−１７８６８９号「遊技機」拒絶査定不服審判事件〔平成３１年　４月　４日出願公開、特開２０１９−　５１２１１号〕について、次のとおり審決する。
【結　論】
　本件審判の請求は、成り立たない。
【理　由】
第１　手続の経緯
　本件に係る出願（以下「本願」という。）は、平成２９年９月１９日の出願であって、令和１年５月２１日に手続補正書が提出され、令和１年９月２６日付けで拒絶の理由が通知され、同年１１月６日に意見書及び手続補正書が提出され、同年１２月４日に最後の拒絶の理由が通知され、令和２年１月３０日に意見書及び手続補正書が提出され、同年３月９日付け（謄本送達日：同年同月１２日）で、同年１月３０日提出の手続補正書による補正が却下されるとともに拒絶査定（以下「原査定」という。）がなされ、これに対し、同年４月１日に拒絶査定不服審判の請求がなされると同時に手続補正書が提出されたものである。
　なお、請求人は、令和２年６月１５日に上申書（以下単に「上申書」という。）を提出し、審査官が同年５月２７日に作成した、特許法第１６４条第３項に定める報告（前置報告）の内容に対して反論している。
第２　補正の却下の決定
［補正の却下の決定の結論］
　令和２年４月１日に提出された手続補正書による補正（以下、「本件補正」という。）を却下する。
［理由］
１　本件補正の内容
（１）本件補正は、特許請求の範囲についてする補正を含むものであって、令和１年１１月６日提出の手続補正書によって補正された本件補正前の請求項１に、
「始動条件の成立に基づいて複数列の図柄の変動表示を行い、前記変動表示の結果が予め定められた特別表示結果になると遊技者に有利な特別遊技を実行することが可能な遊技機において、
　前記図柄を視認し難い態様で変動表示させた後に、図柄を視認し易い態様で仮停止表示させてから、前記変動表示の結果を示す図柄を確定停止表示させる変動演出を実行可能な表示制御手段を備え、
　前記表示制御手段は、
　１の変動演出において、
前記特別表示結果となる特別表示態様で図柄を表示する場合でも、前記特別表示結果とならない非特別表示態様で
柄を
する場合でも、前記仮停止表示のときに
所定
、
　前記１の変動演出において、
　前記特別遊技の期待度が高い特別演出が実行されない場合よりも、前記特別演出が実行される場合の方が、前記
所定
　前記非特別表示態様で図柄を表示する場合に、第１図柄組み合わせにて表示される場合よりも、前記第１図柄組み合わせとは異なる第２図柄組み合わせにて表示される場合の方が、前記
所定
「始動条件の成立に基づいて複数列の図柄の変動表示を行い、前記変動表示の結果が予め定められた特別表示結果になると遊技者に有利な特別遊技を実行することが可能な遊技機において、
　前記図柄を視認し難い態様で変動表示させた後に、図柄を視認し易い態様で仮停止表示させてから、前記変動表示の結果を示す図柄を確定停止表示させる変動演出を実行可能な表示制御手段を備え、
　前記表示制御手段は、
　１の変動演出において、
前記特別表示結果となることを示す図柄の組み合わせが何れであっても、前記
仮停止
した後に、前
停止示唆
　
１の変動演出において、非特別表示態様の図柄を仮停止表示したときに、前記仮停止表示から前記確定停止表示に移行することを示唆する停止示唆演出を実行可能であり、
　前記１の変動演出において、
　前記特別遊技の期待度が高い特別演出が実行されない場合よりも、前記特別演出が実行される場合の方が、前記
停止示唆
　前記非特別表示態様で図柄を表示する場合に、第１図柄組み合わせにて表示される場合よりも、前記第１図柄組み合わせとは異なる第２図柄組み合わせにて表示される場合の方が、前記
停止示唆
（２）本件補正後の請求項１に係る上記（１）の補正は、次の補正事項からなる。
　ア　本件補正前の請求項１に記載した発明を特定するために必要な事項である「所定演出」を「停止示唆演出」とする補正。
　イ　本件補正前の請求項１に記載した発明を特定するために必要な事項である「前記表示制御手段は、１の変動演出において、前記特別表示結果となる特別表示態様で図柄を表示する場合でも、前記特別表示結果とならない非特別表示態様で図柄を表示する場合でも、前記仮停止表示のときに前記仮停止表示から前記確定停止表示に移行することを示唆する所定演出を実行可能であり、」を「前記表示制御手段は、１の変動演出において、前記特別表示結果となることを示す図柄の組み合わせが何れであっても、前記図柄を仮停止表示した後に、前記仮停止表示から前記確定停止表示に移行することを示唆する停止示唆演出を実行可能であり、１の変動演出において、非特別表示態様の図柄を仮停止表示したときに、前記仮停止表示から前記確定停止表示に移行することを示唆する停止示唆演出を実行可能であり、」とする補正。
２　補正の適否について
（１） 補正の目的
　本件補正は、本件補正前の請求項１に記載した発明を特定するために必要な事項である「所定演出」を「停止示唆演出」とするともに、「停止示唆演出」が、「前記特別表示結果となることを示す図柄の組み合わせが何れであっても、前記図柄を仮停止表示した後に」に実行される場合と、「非特別表示態様の図柄を仮停止表示したとき」に実行される場合とがあることを場合分けして限定するものである。
　したがって、本件補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
（２）新規事項
　本件補正は、本願の願書に最初に添付した明細書、特許請求の範囲又は図面における【０６５９】、【０６９２】、【０６９５】、【０６９６】ないし【０７０３】、図４７ないし図４９、図５３ないし図５６、図５８、図５９、図６１ないし図６３等の記載に基づくものであり、新たな技術事項を導入するものではないから、特許法第１７条の２第３項に規定する要件を満たす。
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）についても、以下、検討する。
（１）本願補正発明
　本願補正発明を再掲すると、次のとおりのものである。
「Ａ　始動条件の成立に基づいて複数列の図柄の変動表示を行い、前記変動表示の結果が予め定められた特別表示結果になると遊技者に有利な特別遊技を実行することが可能な遊技機において、
　Ｂ　前記図柄を視認し難い態様で変動表示させた後に、図柄を視認し易い態様で仮停止表示させてから、前記変動表示の結果を示す図柄を確定停止表示させる変動演出を実行可能な表示制御手段を備え、
　Ｃ　前記表示制御手段は、
　　　１の変動演出において、前記特別表示結果となることを示す図柄の組み合わせが何れであっても、前記図柄を仮停止表示した後に、前記仮停止表示から前記確定停止表示に移行することを示唆する停止示唆演出を実行可能であり、
　Ｄ　１の変動演出において、非特別表示態様の図柄を仮停止表示したときに、前記仮停止表示から前記確定停止表示に移行することを示唆する停止示唆演出を実行可能であり、
　Ｅ　前記１の変動演出において、
　前記特別遊技の期待度が高い特別演出が実行されない場合よりも、前記特別演出が実行される場合の方が、前記停止示唆演出を実行し易く、
　Ｆ　前記非特別表示態様で図柄を表示する場合に、第１図柄組み合わせにて表示される場合よりも、前記第１図柄組み合わせとは異なる第２図柄組み合わせにて表示される場合の方が、前記停止示唆演出を実行し易い
　Ｇ　ことを特徴とする遊技機。」
　なお、記号ＡないしＧについては、分説するため合議体が付した。記号Ａ等を付した事項を以下「特定事項Ａ」等と称する。
（２）引用例
　原査定の拒絶の理由に引用文献１として引用され、本願出願前に電気通信回線を通じて公衆に利用可能となった特開２０１６−２０９２６８号公報（平成２８年１２月１５日出願公開、以下「引用例」という。）には、遊技機（発明の名称）に関し、次の事項が図とともに記載されている（なお、下線は引用発明等の認定に関連する箇所を明示するために合議体が付した。）。
　ア　「【技術分野】
【０００１】
　本発明は、パチンコ遊技機などの遊技機に関する。
【背景技術】
【０００２】
　遊技機（パチンコ遊技機）の一種では、始動条件の成立に基づいて大当たり抽選（当たり判定）を行い、大当たりに当選した場合、特別遊技の一種として、大入賞口の開放を伴う大当たり遊技を行う。大入賞口に遊技球を入賞させることで多数の賞球を得ることができる。大当たり抽選の結果は、図柄表示手段上において、図柄の変動表示を経たのちの図柄の停止態様によって遊技者に示される。
【０００３】
　また、遊技機では、演出ボタン等の操作手段を用いた演出が行われることもある。例えば、演出ボタンに対する操作有効期間を設けて遊技者にボタン操作の入力を促し、ボタン操作の入力に応じて所定の演出（例えば、カットインの表示）を行うことがある（例えば下記特許文献１参照）。また、図柄の変動表示中に、大当たり遊技の実行の期待度が高いことを示唆するリーチ演出が行なわれることがある。
　・・・略・・・
【発明が解決しようとする課題】
【０００５】
　特別遊技の実行有無に関する演出について新たな演出を導入できれば、遊技の興趣向上が見込まれる。遊技機において、遊技への飽きを抑制して楽しんで遊技を行ってもらうために、新たな演出及び方法の導入が重要であることは言うまでもない。
【０００６】
　そこで本発明は、特別遊技の示唆に関連する演出を通じて遊技の興趣向上に寄与する遊技機を提供することを目的とする。」
　イ　「【００２９】
＜＜遊技機の基本動作＞＞
　次に、遊技機１００の基本動作について説明する。
遊技機１００は、第１又は第２始動条件が成立すると、
特別図柄を変動表示させる
特別図柄を変動表示させる
【００３０】
　遊技機１００は、
特別図柄
を変動表示させると、それに合わせて画像表示部１０４上で装飾図柄を変動表示させ、
大当たりを示す組み合わせ（例えば「７・７・７」といった所謂ゾロ目）で第１〜第３装飾図柄を停止表示させる
　・・・略・・・
【００３３】
　
大当たりを示す態様で特別図柄を停止表示させると、遊技機１００は、大当たり遊技状態となる
　ウ　「【０１３４】
　図１５に、第１実施形態に係る変動演出パターンテーブルＨＥｔを示す。変動演出パターンテーブルＨＥｔは、サブＲＯＭ４３２に格納され、各々に変動演出の内容を定義した
複数の変動演出パターン
を含む
【０１３５】
　図１５には、各変動演出パターンによる変動演出の概要も示されている。特図判定用情報１１００に対して変動演出パターンＨＥｐ＿ａ１１、ＨＥｐ＿ａ１２、ＨＥｐ＿ａ１３が選択されたとき、演出制御部４０３は、変動演出１２００として、夫々、特図判定用情報１１００がハズレであることを示唆及び告知する第１、第２、第３ハズレ演出を実行する。変動演出パターンＨＥｐ＿ａ１１、ＨＥｐ＿ａ１２又はＨＥｐ＿ａ１３による変動演出はリーチ演出を含まない。変動演出パターンＨＥｐ＿ａ１１〜ＨＥｐ＿ａ１６及びＨＥｐ＿ａ２４〜ＨＥｐ＿ａ２６の内、変動演出パターンＨＥｐ＿ａ１６及びＨＥｐ＿ａ２６の変動演出のみに、後述の復活煽り演出が含まれる。
【０１３６】
［変動演出パターンＨＥｐ＿ａ１４］
　図１６を参照し、変動演出パターンＨＥｐ＿ａ１４による変動演出１２００を説明する。
変動演出パターンＨＥｐ＿ａ１４による変動演出１２００では、
【０１３７】
　前段演出では、
第１〜第３装飾図柄
の変動表示の開始後、
【０１３８】
　弱リーチ演出が行われる前において、第１及び第２装飾図柄を共通の図柄にて仮停止させる際、遊技者が第１及び第２装飾図柄を視認しやすいように第１及び第２装飾図柄が所定の大サイズで仮停止される。弱リーチ演出の実行を定義する他の変動演出パターン（従ってＨＥｐ＿ａ２４を含む）による変動演出１２００でも同様である。弱リーチ演出の実行中には、弱リーチ演出を見やするするために共通の図柄にて揃えられた小サイズの第１及び第２装飾図柄が、例えば画像表示部１０４の左上隅及び右上隅で仮停止せしめられ、この際、画像表示部１０４内の任意の表示領域で第３装飾図柄を小サイズで変動表示（第１及び第２装飾図柄よりも高速な変動表示）させるようにしても良い。弱リーチ演出の実行を定義する他の変動演出パターン（従ってＨＥｐ＿ａ２４を含む）による変動演出１２００でも同様である。
【０１３９】
　
変動演出パターンＨＥｐ＿ａ１４による変動演出１２００では、
大サイズの第１〜第３装飾図柄が非ゾロ目の態様にて画像表示部１０４の中央付近に仮停止表示される
【０１４０】
　
変動演出パターンＨＥｐ＿ａ１４による変動演出１２００では、
大サイズの第１〜第３装飾図柄が非ゾロ目の態様にて停止表示される
【０１４１】
［変動演出パターンＨＥｐ＿ａ２４］
　図１７を参照し、変動演出パターンＨＥｐ＿ａ２４による変動演出１２００を説明する。
変動演出パターンＨＥｐ＿ａ２４による変動演出１２００では、
【０１４２】
　前段演出では、
第１〜第３装飾図柄
の変動表示の開始後、
【０１４３】
　変動演出パターンＨＥｐ＿ａ２４による変動演出１２００では、弱リーチ演出を経て、遊技上の課題が達成される様子を表す演出（主人公キャラクタＺＲが敵キャラクタＡに勝利する（即ち敵キャラクタＡを倒す）様子を表す動画像の表示を含む）が行われると共に大サイズの第１〜第３装飾図柄がゾロ目の態様にて画像表示部１０４の中央付近に仮停止表示される。遊技上の課題が達成される様子を表す演出と、その後の、ゾロ目の態様による第１〜第３装飾図柄の仮停止表示とが、変動演出パターンＨＥｐ＿ａ２４のリーチ当たり示唆演出に含まれる。尚、リーチ当たり示唆演出の全部又は一部も変動演出パターンＨＥｐ＿ａ２４の弱リーチ演出に含まれる、と考えるようにしても良い。リーチ当たり示唆演出は、特図判定用情報１１００が大当たりであること（即ち特図判定用情報１１００に対する特図判定の結果として大当たり遊技が実行されること）を遊技者に示唆する演出として機能する（後述の他の変動演出パターンによるリーチ当たり示唆演出についても同様）。
【０１４４】
　
変動演出パターンＨＥｐ＿ａ２４による変動演出１２００では、
大サイズの第１〜第３装飾図柄がゾロ目の態様にて停止表示される
　エ　「【０１５４】
［変動演出パターンＨＥｐ＿ａ１６］
　図２０を参照し、変動演出パターンＨＥｐ＿ａ１６による変動演出１２００を説明する。
変動演出パターンＨＥｐ＿ａ１６
では、
【０１５５】
　前段演出では、第１〜第３装飾図柄（図２０のＳＺ１〜ＳＺ３に相当）の変動表示の開始後、所定の演出を経て、第１及び第２装飾図柄を共通の図柄（図２０では数字「２」の図柄）にて揃えた状態で仮停止させる。その後、強リーチ演出では、遊技上の課題として、主人公キャラクタＺＲが敵キャラクタＢを倒すという課題が発生し、その課題が達成されるか否かを示す演出が実行される。
【０１５６】
　
変動演出パターンＨＥｐ＿ａ１６による変動演出１２００では、
第１〜第３装飾図柄が非ゾロ目の態様にて画像表示部１０４の中央付近に仮停止表示される
仮停止表示
が
リーチハズレ示唆演出に含まれる
【０１５７】
　
変動演出パターンＨＥｐ＿ａ１６による変動演出１２００では、リーチハズレ示唆演出の後、復活煽り演出が行なわれ、続いて復活失敗演出が行なわれる
その後、
大サイズの第１〜第３装飾図柄が非ゾロ目の態様にて停止表示される
【０１５８】
［変動演出パターンＨＥｐ＿ａ２６］
　図２１を参照し、変動演出パターンＨＥｐ＿ａ２６による変動演出１２００を説明する。
変動演出パターンＨＥｐ＿ａ２６
では、
【０１５９】
　前段演出では、第１〜第３装飾図柄（図２１のＳＺ１〜ＳＺ３に相当）の変動表示の開始後、所定の演出を経て、第１及び第２装飾図柄を共通の図柄（図２１では数字「２」の図柄）にて揃えた状態で仮停止させる。その後、強リーチ演出では、遊技上の課題として、主人公キャラクタＺＲが敵キャラクタＢを倒すという課題が発生し、その課題が達成されるか否かを示す演出が実行される。
【０１６０】
　
変動演出パターンＨＥｐ＿ａ２６による変動演出１２００では、
第１〜第３装飾図柄が非ゾロ目の態様にて画像表示部１０４の中央付近に仮停止表示される
仮停止表示
が
リーチハズレ示唆演出に含まれる
【０１６１】
　
変動演出パターンＨＥｐ＿ａ２６による変動演出１２００では、リーチハズレ示唆演出の後、復活煽り演出が行なわれ、続いて復活成功演出が行なわれる
その後、変動停止コマンドを受信すると大サイズの第１〜第３装飾図柄がゾロ目の態様にて停止表示される
　オ　「【図２０】
　　　　
　　　
　【図２１】
　　　　
」
　カ　引用例における、上記ウの
　「【０１３４】・・・
複数の変動演出パターン
を含む
　「【０１３６】・・・
変動演出パターンＨＥｐ＿ａ１４による変動演出１２００では、
第１〜第３装飾図柄
の変動表示の開始後、
変動演出パターンＨＥｐ＿ａ１４による変動演出１２００では、
大サイズの第１〜第３装飾図柄が非ゾロ目の態様にて画像表示部１０４の中央付近に仮停止表示される
変動演出パターンＨＥｐ＿ａ１４による変動演出１２００では、
大サイズの第１〜第３装飾図柄が非ゾロ目の態様にて停止表示される
　「【０１４１】・・・
変動演出パターンＨＥｐ＿ａ２４による変動演出１２００では、
第１〜第３装飾図柄
の変動表示の開始後、
変動演出パターンＨＥｐ＿ａ２４による変動演出１２００では、
大サイズの第１〜第３装飾図柄がゾロ目の態様にて停止表示される
　引用例には、「第１〜第３装飾図柄の変動表示の開始後、大サイズの第１〜第３装飾図柄が非ゾロ目又はゾロ目の態様にて画像表示部１０４の中央付近に仮停止表示され、その後、大サイズの第１〜第３装飾図柄が非ゾロ目又はゾロ目の態様にて停止表示される、という変動表示パターンを含」むことが記載されていると認められる。
　キ　引用例における、上記ウの
　「【０１３４】・・・複数の変動演出パターン（特図変動演出パターン）を含む。・・・」との記載、
　同じく上記エの
　「【０１５４】・・・
変動演出パターンＨＥｐ＿ａ１６
では、
変動演出パターンＨＥｐ＿ａ１６による変動演出１２００では、
第１〜第３装飾図柄が非ゾロ目の態様にて画像表示部１０４の中央付近に仮停止表示される
仮停止表示
が
リーチハズレ示唆演出に含まれる
変動演出パターンＨＥｐ＿ａ１６による変動演出１２００では、リーチハズレ示唆演出の後、復活煽り演出が行なわれ、続いて復活失敗演出が行なわれる
その後、
大サイズの第１〜第３装飾図柄が非ゾロ目の態様にて停止表示される
　「【０１５８】・・・
変動演出パターンＨＥｐ＿ａ２６
では、
変動演出パターンＨＥｐ＿ａ２６による変動演出１２００では、
第１〜第３装飾図柄が非ゾロ目の態様にて画像表示部１０４の中央付近に仮停止表示される
仮停止表示
が
リーチハズレ示唆演出に含まれる
変動演出パターンＨＥｐ＿ａ２６による変動演出１２００では、リーチハズレ示唆演出の後、復活煽り演出が行なわれ、続いて復活成功演出が行なわれる
その後、変動停止コマンドを受信すると大サイズの第１〜第３装飾図柄がゾロ目の態様にて停止表示される
　引用例には、「複数の変動表示パターンのうち、変動演出パターンＨＥｐ＿ａ１６又はＨＥｐ＿ａ２６では、第１〜第３装飾図柄が非ゾロ目の態様にて画像表示部１０４の中央付近に仮停止表示され、該仮停止表示がリーチハズレ示唆演出に含まれ、リーチハズレ示唆演出の後、復活煽り演出が行なわれ、続いて復活失敗演出又は復活成功演出が行なわれ、その後、大サイズの第１〜第３装飾図柄が非ゾロ目又はゾロ目の態様にて停止表示される」ことが記載されていると認められる。
　ク　上記アないしキから、引用例には、次の発明が記載されている（なお、ａないしｇについては本願補正発明の特定事項ＡないしＧに概ね対応させて付与し、引用箇所の段落番号等を併記した。）。
「ａ　第１又は第２始動条件が成立すると、特別図柄を変動表示させることに合わせて画像表示部１０４上で第１〜第３装飾図柄を変動表示させ、大当たりを示す組み合わせ（例えば「７・７・７」といった所謂ゾロ目）で第１〜第３装飾図柄を停止表示すると（【００２９】、【００３０】）、大当たり遊技状態となる遊技機１００（【００３３】）であって、
　ｂ　第１〜第３装飾図柄の変動表示の開始後、大サイズの第１〜第３装飾図柄が非ゾロ目又はゾロ目の態様にて画像表示部１０４の中央付近に仮停止表示され、その後、大サイズの第１〜第３装飾図柄が非ゾロ目又はゾロ目の態様にて停止表示される、という変動表示パターンを含み（上記カ）、
　ｄ−ｆ　複数の変動表示パターンのうち、変動演出パターンＨＥｐ＿ａ１６又はＨＥｐ＿ａ２６では、第１〜第３装飾図柄が非ゾロ目の態様にて画像表示部１０４の中央付近に仮停止表示され、該仮停止表示がリーチハズレ示唆演出に含まれ、リーチハズレ示唆演出の後、復活煽り演出が行なわれ、続いて復活失敗演出又は復活成功演出が行なわれ、その後、大サイズの第１〜第３装飾図柄が非ゾロ目又はゾロ目の態様にて停止表示される（上記キ）、
　ｇ　遊技機１００（【００２９】）。」（以下「引用発明１」という。）
（３）周知の事項
　ア　本願出願前に電気通信回線を通じて公衆に利用可能となった特開２０１７−１０８８８１号公報（以下「周知例１」という。）には、次の事項が図とともに記載されている（なお、下線は周知技術の認定に関連する箇所を明示するために合議体が付した。以下同様。）。
（ア）「【技術分野】
【０００１】
　本発明は、
パチンコ遊技機
（イ）「【００９２】
　リーチ付当たり演出（図９（ｄ）参照）による変動演出では、変動開始コマンドの受信に応答して第１〜第３装飾図柄の変動表示を開始した後、第１装飾図柄（左図柄）を所定態様で仮停止表示し、その後、リーチ付ハズレ演出と同様、上述のテンパイ煽り演出を経てテンパイ成功演出を行う。リーチ付当たり演出では、テンパイ成功演出の後、所定のリーチ演出を行い、
リーチ演出を経て、
第１〜第３装飾図柄をゾロ目の態様で仮停止表示した後
第１〜第３装飾図柄をゾロ目の態様で本停止表示させる
第１〜第３装飾図柄を本停止表示させる前に、再抽選演出を行うことができる
　・・・略・・・
【００９５】
　図１０（ａ）〜（ｃ）を参照し、
ゾロ目の態様には、互いに異なる青ゾロ目、緑ゾロ目及び赤ゾロ目がある。
　・・・略・・・
【００９８】
　赤ゾロ目、緑ゾロ目、青ゾロ目による第１〜第３装飾図柄を表示態様は、何れも、大当たり遊技が行われることを示唆している。
【００９９】
　但し、
赤ゾロ目は、判定対象ＴＴが特Ｂ又は特Ｄの大当たりに当選している場合にのみ停止表示される
特Ｂ又は特Ｄによる１６Ｒ分の大当たり遊技が行われて当該大当たり遊技後に遊技機１００の遊技状態が高確率電サポ遊技状態とされる
【０１００】
　同様に考えて、第１〜第３装飾図柄を
緑ゾロ目の態様で停止表示（仮停止表示、本停止表示）させる演出は、
特Ｂ又は特Ｄによる１６Ｒ分の大当たり遊技が行われて当該大当たり遊技後に遊技機１００の遊技状態が高確率電サポ遊技状態とされる可能性が第１〜第３装飾図柄の赤ゾロ目の態様による停止表示よりも低いこと
【０１０１】
　同様に考えて、第１〜第３装飾図柄を
青ゾロ目の態様で停止表示（仮停止表示、本停止表示）させる演出は、
当該大当たり遊技後に遊技機１００の遊技状態が高確率電サポ遊技状態とされる可能性が第１〜第３装飾図柄の赤又は緑ゾロ目の態様による停止表示よりも低い
（ウ）「【０１３０】
　図１６を参照し、再抽選演出について説明する。再抽選演出の実行前における第１〜第３装飾図柄の停止態様を、第１ゾロ目態様と称し、再抽選演出の実行後における第１〜第３装飾図柄の停止態様を、第２ゾロ目態様と称する。
再抽選演出の実行前には、第１ゾロ目態様にて第１〜第３装飾図柄が十分に大きなサイズで仮停止表示されている。再抽選演出では、例えば、第１〜第３装飾図柄の内容を遊技者が視認不能な程度に第１〜第３装飾図柄の表示サイズを徐々に小さくした後、第２ゾロ目態様にて第１〜第３装飾図柄を十分に大きなサイズで仮停止表示させる
【０１３１】
　第１ゾロ目態様と第２ゾロ目態様は互いに異なることもあるし、互いに同じであることもある。第１ゾロ目態様と第２ゾロ目態様が互いに異なる場合、再抽選演出は、ゾロ目による第１〜第３装飾図柄の停止態様（仮停止表示態様）を第１ゾロ目態様から第２ゾロ目態様へと変化させる演出として機能する。第１ゾロ目態様と第２ゾロ目態様が互いに同じでありうることをも考慮すると、再抽選演出は、第１〜第３装飾図柄の停止態様（仮停止表示態様）が或るゾロ目態様から他のゾロ目態様に変化するか否かを示唆する演出として機能する。」
（エ）「【図１６】
　　　
」
（オ）「【０１４６】
　図２１は、第１又は第２リーチ付当たり演出において、第１〜第３装飾図柄が第１ゾロ目態様にて仮停止表示されるまでの流れを示している。
【０１４７】
　第１又は第２リーチ付当たり演出において、第１ゾロ目態様が青ゾロ目であることが決まっている場合、第１装飾図柄（左図柄）が青図柄にて仮停止された後、第１装飾図柄（左図柄）及び第２装飾図柄（右図柄）が共通の青図柄にて揃えられるか否かを示唆するテンパイ煽り演出（これを特に青図柄テンパイ煽り演出と称する）が行われ、その後、第１装飾図柄（左図柄）及び第２装飾図柄（右図柄）を共通の青図柄にて揃えて表示するテンパイ成功演出（これを特に青図柄テンパイ成功演出と称する）が行われ、更にその後、所定のリーチ演出を経て、第１〜第３装飾図柄が共通の青図柄にて揃えて表示され（即ち
青ゾロ目としての第１ゾロ目態様にて仮停止表示され
その後に再抽選演出が行われる
【０１４８】
　第１又は第２リーチ付当たり演出において、第１ゾロ目態様が緑ゾロ目であることが決まっている場合、第１装飾図柄（左図柄）が緑図柄にて仮停止された後、第１装飾図柄（左図柄）及び第２装飾図柄（右図柄）が共通の緑図柄にて揃えられるか否かを示唆するテンパイ煽り演出（これを特に緑図柄テンパイ煽り演出と称する）が行われ、その後、第１装飾図柄（左図柄）及び第２装飾図柄（右図柄）を共通の緑図柄にて揃えて表示するテンパイ成功演出（これを特に緑図柄テンパイ成功演出と称する）が行われ、更にその後、所定のリーチ演出を経て、第１〜第３装飾図柄が共通の緑図柄にて揃えて表示され（即ち
緑ゾロ目としての第１ゾロ目態様にて仮停止表示され
その後に再抽選演出が行われる
【０１４９】
　第１又は第２リーチ付当たり演出において、第１ゾロ目態様が赤ゾロ目であることが決まっている場合、第１装飾図柄（左図柄）が赤図柄にて仮停止された後、第１装飾図柄（左図柄）及び第２装飾図柄（右図柄）が共通の赤図柄にて揃えられるか否かを示唆するテンパイ煽り演出（これを特に赤図柄テンパイ煽り演出と称する）が行われ、その後、第１装飾図柄（左図柄）及び第２装飾図柄（右図柄）を共通の赤図柄にて揃えて表示するテンパイ成功演出（これを特に赤図柄テンパイ成功演出と称する）が行われ、更にその後、所定のリーチ演出を経て、第１〜第３装飾図柄が共通の赤図柄にて揃えて表示され（即ち
赤ゾロ目としての第１ゾロ目態様にて仮停止表示され
その後に再抽選演出が行われる
（カ）「【図２１】
　　　
」
　イ　本願出願前に電気通信回線を通じて公衆に利用可能となった特開２０１７−６１７４号公報（以下「周知例２」という。）には、次の事項が図とともに記載されている。
（ア）「【発明を実施するための形態】
【００１０】
　本発明の一実施形態に係る遊技機１０について、図面に基づいて説明する。遊技機１０は
パチンコ遊技機
（イ）「【００５３】
　遊技機１０では、長当たりになる場合、図２３に示すように、変動演出において、特別演出を行うことがある。上述した図２２の例は、特別演出を行わない例である。特別演出とは、図柄Ｆを変動表示してから大当たり図柄で仮停止（仮停止表示）し、その後、仮停止した大当たり図柄、又は、仮停止した大当たり図柄とは異なる大当たり図柄で、本停止（確定表示）する演出であり、仮停止から本停止までの間に、仮停止した大当たり図柄が変更されるかも知れないと遊技者に思わせるような演出（例えば、再変動）が行われる。なお、仮停止とは、停止しているように見えるが、ごく僅かに動いている状態である。再変動のように、
仮停止した大当たり図柄が変更されるかも知れないと遊技者に思わせるような演出を、以下、「再抽選演出」ということとする
（ウ）「【０１０１】
　（５）実施形態のパチンコ遊技機の演出例
　次に、図２３〜図３０に基づいて、実施形態の特別演出の例について説明する。図２３、図２４は保留連示唆演出が行われない例、図２５〜図３０は行われる例である。
【０１０２】
　〈図２３の例〉
　・・・略・・・
【０１０４】
　変動演出開始コマンドを受信した画像音響制御部９５は、図２３の（ａ）に示すように、表示画面２０ａにおいて特別演出を含む変動演出を開始する。すなわち、図柄Ｆの変動表示を開始し、所定時間経過後、
（ｂ）に示すように、左図柄ＬＦ及び右図柄ＲＦを「６」として、リーチ態様を成立させる
（ｃ）に示すように、中図柄ＣＦも左図柄ＬＦ及び右図柄ＲＦと揃えた通常図柄「６６６」で図柄Ｆを仮停止し、次に、（ｄ）に示すように図柄Ｆを再変動させる。
【０１０５】
　そして、演出制御部９０は、図１８に示すコマンド受信処理において変動停止コマンドを受信し、図２１に示す変動演出終了中処理のステップS2401で変動停止コマンドを解析し、変動演出終了コマンドをセットする(S2402)。変動演出終了コマンドを受信した画像音響制御部９５は、
（ｆ）に示すように図柄Ｆを確変図柄「７７７」で本停止させて、特別演出を含む変動演出を終了する。
　・・・略・・・
【０１０７】
　〈図２４の例〉
　・・・略・・・
【０１０９】
　変動演出開始コマンドを受信した画像音響制御部９５は、図２４の（ａ）に示すように、表示画面２０ａにおいて、図柄Ｆの変動表示を開始し、所定時間経過後、
（ｂ）に示すように、左図柄ＬＦ及び右図柄ＲＦを「７」としてリーチ態様を成立させる
（ｃ）に示すように確変図柄「７７７」で図柄Ｆを仮停止し、（ｄ）に示すように、遊技者による演出ボタン４６等の操作に応じて図柄Ｆを壊すような演出を行った後、
図柄Ｆを、そのまま（ｆ）に示すように本停止させて
（エ）「【図２３】
　　　　
　　　【図２４】
　　　　
」
　ウ　本願出願前に頒布され又は電気通信回線を通じて公衆に利用可能となった特開２００９−７７８５７号公報（以下「周知例３」という。）には、次の事項が図とともに記載されている。
（ア）「【技術分野】
【０００１】
　本発明は、図柄表示手段での図柄変動表示において、図柄変動途中の仮停止時の停止図柄が特定態様の場合に、仮停止後の再変動演出を行わない
弾球遊技機
（イ）「【００６５】
　次に、図柄変動パターンテーブルの「非確率変動型大当り」に関する複数の変動パターンデータの中から、例えば第１非確率変動型大当たりパターンデータが抽選により決定される。このとき、決定された第１非確変型大当たりパターンデータが読み込まれ、３つの図柄が変動時間以内に仮停止するように、例えば、指示された変動時間（約３０秒) に基づいて、仮停止までの時間（例えば、２０秒）が設定される。また、図柄態様テーブルから確定停止図柄態様と仮停止図柄態様とが抽選により決定される。例えば、仮停止図柄態様が「６６６」、確定停止図柄態様が「６６６」に決定される。
【００６６】
　その後、液晶ディスプレイ１５の表示画面において各演出図柄が変動を開始する。この場合、時点Ｔ１から３つの図柄（左図柄、中図柄、右図柄）が同時に変動開始される（図１７（ａ））。そして、
変動開始から約１６秒経過した時点Ｔ２のときに左図柄が「６」で仮停止され（図１７（ｂ））、約１８秒経過した時点Ｔ３のときに右図柄が「６」で仮停止され（図１７（ｃ））、約２０秒経過した時点Ｔ４のときに中図柄が「６」で仮停止され、３つの図柄が上下にユラユラと揺動状態で表示される（図１７（ｄ））。
【００６７】
　
これら３つの図柄「６、６、６」により非確率変動型の大当りではあるが、この揺れ状態により、再変動演出が行われる
再変動開始から変動時間（約３０秒）が経過した時点Ｔ６のときに、３つの図柄が「６」で同時に確定停止表示され
　・・・略・・・
【００７０】
　次に、図柄変動パターンテーブルの「確率変動型大当り」に関する複数の変動パターンデータの中から、例えば第１確率変動型大当たりパターンデータが抽選により決定される。このとき、決定されたこの第１確変型大当たりパターンデータが読み込まれ、３つの図柄が変動時間以内に仮停止するように、例えば、指示された変動時間（約３０秒) に基づいて、仮停止までの時間（例えば、２０秒）が設定される。また、図柄態様テーブルから確定停止図柄態様と仮停止図柄態様とが抽選により決定される。例えば、仮停止図柄態様が「６６６」、確定停止図柄態様が「７７７」に決定される。
【００７１】
　その後、液晶ディスプレイ１５の表示画面において各演出図柄が変動を開始する。この場合、時点Ｔ１から３つの図柄（左図柄、中図柄、右図柄）が同時に変動開始される（図１７（ａ））。そして、
変動開始から約１６秒経過した時点Ｔ２のときに左図柄が「６」で仮停止され（図１７（ｂ））、約１８秒経過した時点Ｔ３のときに右図柄が「６」で仮停止され（図１７（ｃ））、約２０秒経過した時点Ｔ４のときに中図柄が「６」で仮停止され、３つの図柄が上下にユラユラと揺動状態で表示される（図１７（ｄ））。
【００７２】
　そして、変動開始時点Ｔ１から約２４秒経過した時点Ｔ５のときに、３つの図柄が同期して同時に再変動され（図１７（ｅ））、変動開始から変動時間（約３０秒）が経過した時点Ｔ６のときに、
３つの図柄が「７」で同時に確定停止表示され（図１７（ｈ））、確率変動型の大当たりの文字が表示され（図１７（ｉ）、
【００７３】
　次に、第２の演出制御手段３４ａにより設定された第３モードによる演出図柄の変動表示の具体例について、図１６、図１７を参照しながら説明する。尚、第１，２モードによる演出図柄の変動表示で説明した内容と同一の内容については説明を省略する。
　・・・略・・・
【００７５】
　次に、図柄変動パターンテーブルの「確率変動型大当り」に関する複数の変動パターンデータの中から、例えば第１確率変動型大当たりパターンが抽選により決定される。このとき、決定されたこの第１確変型大当たりパターンデータが読み込まれ、３つの図柄が変動時間以内に仮停止するように、例えば、指示された変動時間（約３０秒) に基づいて、仮停止までの時間（例えば、２０秒）が設定される。また、図柄態様テーブルから確定停止図柄態様と仮停止図柄態様とが抽選により決定される。例えば、仮停止図柄態様が「７７７」、確定停止図柄態様が「７７７」に決定される。
【００７６】
　その後、各演出図柄が変動を開始する。この場合、時点Ｔ１から３つの図柄（左図柄、中図柄、右図柄）が同時に変動開始される（図１７（a））。そして、
変動開始から約１６秒経過した時点Ｔ２のときに左図柄が「７」で仮停止され（図１７（ｊ））、約１８秒経過した時点Ｔ３のときに右図柄が「７」で仮停止され（図１７（ｋ））、約２０秒経過した時点Ｔ４のときに中図柄が「７」で仮停止され、３つの図柄が上下にユラユラと揺動状態で表示される（図１７（ｌ））。
【００７７】
　そして、変動開始時点Ｔ１から約２４秒経過した時点Ｔ５のときに、
大当り遊技用演出パターン選択画面が表示される
３つの図柄が「７」で同時に確定停止表示され（図１７（ｎ））、確率変動型の大当たりの文字が表示され（図１７（ｏ））、
（ウ）「【図１７】
　　　
　」
　エ　周知例１ないし３から把握される周知技術
　上記アないしウからみて、
「装飾図柄が仮停止表示を経て本停止表示する変動演出を実行可能なパチンコ遊技機において、
　ゾロ目態様で仮停止表示され、その後、再抽選演出等の演出が行われた後、前記ゾロ目態様又は別のゾロ目態様で本停止表示するものであり、前記ゾロ目態様は有利度が互いに異なるいずれのゾロ目態様も含む、パチンコ遊技機。」（以下「周知技術」という。）は周知であったと認められる。
（４）対比
　本願補正発明と引用発明とを対比する。なお、見出し（ａ）ないし（ｇ）は、本願補正発明の特定事項ＡないしＧに概ね対応する。
（ａ）（ｇ）引用発明の「第１又は第２始動条件」、「第１〜第３装飾図柄」、「大当たりを示す組み合わせ（例えば「７・７・７」といった所謂ゾロ目）」、「大当たり遊技状態」、「遊技機１００」は、それぞれ本願補正発明の「始動条件」、「複数列の図柄」、「特別表示結果」、「遊技者に有利な特別遊技」、「遊技機」に相当する。
　引用発明のａは、遊技機１００（遊技機）が、第１又は第２始動条件（始動条件）が成立すると、画像表示部１０４上で第１〜第３装飾図柄（複数列の図柄）を変動表示させ、大当たりを示す組み合わせ（例えば「７・７・７」といった所謂ゾロ目）（特別表示結果）で第１〜第３装飾図柄を停止表示すると、大当たり遊技状態（遊技者に有利な特別遊技）となるものである。そうすると、引用発明のａは、本願補正発明の「始動条件の成立に基づいて複数列の図柄の変動表示を行い、前記変動表示の結果が予め定められた特別表示結果になると遊技者に有利な特別遊技を実行することが可能な遊技機」に相当する。
　してみると、引用発明のａ、ｇは、それぞれ本願補正発明の特定事項Ａ、Ｇに相当する。
（ｂ）引用発明の「停止表示」は、本願補正発明の「確定停止表示」に相当する。
　また、引用発明において、第１〜第３装飾図柄の変動表示中は、仮停止表示に比べて、視認し難い態様であることは自明である。
　そうすると、引用発明の「遊技機１００」は、そのｂより、本願補正発明の「Ｂ　前記図柄を視認し難い態様で変動表示させた後に、図柄を視認し易い態様で仮停止表示させてから、前記変動表示の結果を示す図柄を確定停止表示させる変動演出を実行可能な表示制御手段」を備えることは明らかである。
（ｃ）（ｄ）引用発明の「非ゾロ目の態様」は、本願補正発明の「非特別表示態様」に相当する。また、引用発明の「復活煽り演出」 は、第１〜第３装飾図柄の仮停止表示と停止表示（確定停止表示）との間に行われることから、復活が成功するか否かはともかく、停止表示（確定停止表示）に移行することを示唆するものとなっていることが明らかであるから、本願補正発明の「前記仮停止表示から前記確定停止表示に移行することを示唆する停止示唆演出」に相当する。
　また、引用発明のｄ−ｆは、複数の変動表示パターンのうち、変動演出パターンＨＥｐ＿ａ１６又はＨＥｐ＿ａ２６で、第１〜第３装飾図柄が非ゾロ目の態様（非特別表示態様）にて仮停止表示され、その後、復活煽り演出（停止示唆演出）が行なわれた後、すなわち実行された後、第１〜第３装飾図柄が非ゾロ目又はゾロ目の態様にて停止表示（確定停止表示）されるものであるのに対し、変動演出パターンＨＥｐ＿ａ１６又はＨＥｐ＿ａ２６以外の変動演出パターンで、復活煽り演出（停止示唆演出）が実行されない場合もあり得るものである。そうすると、引用発明のｄ−ｆは、本願補正発明の「非特別表示態様の図柄を仮停止表示したときに、」「停止示唆演出を実行可能であり、」に相当する構成を備える。
　そして、上記（ｂ）で述べたように、引用発明が備える「表示制御手段」は、仮停止表示させてから停止表示（確定表示）させるのであるから、復活煽り演出（停止示唆演出）も同様に「表示制御手段」が実行可能であることは明らかである。
　そうすると、引用発明のｄ−ｆと、本願補正発明の特定事項Ｃ及びＤの「前記表示制御手段は、１の変動演出において、前記特別表示結果となることを示す図柄の組み合わせが何れであっても、前記図柄を仮停止表示した後に、前記仮停止表示から前記確定停止表示に移行することを示唆する停止示唆演出を実行可能であり、１の変動演出において、非特別表示態様の図柄を仮停止表示したときに、前記仮停止表示から前記確定停止表示に移行することを示唆する停止示唆演出を実行可能であり、」とは、「前記表示制御手段は、１の変動演出において、非特別表示態様の図柄を仮停止表示したときに、前記仮停止表示から前記確定停止表示に移行することを示唆する停止示唆演出を実行可能であり、」で一致する。
（ｅ）引用発明のｄ−ｆは、第１〜第３装飾図柄が非ゾロ目の態様（非特別表示態様）にて仮停止表示され、該仮停止表示がリーチハズレ示唆演出に含まれ、リーチハズレ示唆演出の後、復活煽り演出（停止示唆演出）が行なわれるものである。
　前記リーチハズレ示唆演出が実行されているということは、リーチ演出の実行を経ていることは自明であり、該リーチ演出は、本願補正発明の「特別演出」に相当する。そして、引用発明の復活煽り演出（停止示唆演出）は、リーチハズレ示唆演出が実行されているとき、すなわち、リーチ演出（特別演出）が実行されたときに実行され、リーチハズレ示唆演出が実行されないとき、すなわち、リーチ演出（特別演出）が実行されないときには実行されないものである。言い換えれば、リーチ演出（特別演出）が実行されない場合よりも、前記リーチ演出（特別演出）が実行される場合の方が、復活煽り演出（停止示唆演出）を実行し易いものである。
　そうすると、引用発明のｄ−ｆは、本願補正発明の特定事項Ｅを備える。
（ｆ）引用発明の復活煽り演出（停止示唆演出）は、リーチハズレ示唆演出が実行されているとき、すなわち、リーチハズレ図柄（第２図柄組み合わせ）で仮停止表示されたときに実行され、リーチハズレ示唆演出が実行されないとき、すなわち、非リーチハズレ図柄（第１図柄組み合わせ）で仮停止表示されたときには実行されないものである。言い換えれば、非リーチハズレ図柄（第１図柄組み合わせ）にて表示される場合よりも、リーチハズレ図柄（第２図柄組み合わせ）にて表示される場合の方が、復活煽り演出（停止示唆演出）を実行し易いものである。
　そうすると、引用発明のｄ−ｆは、本願補正発明の特定事項Ｆを備える。
　以上のとおりであるから、本願補正発明と引用発明とは、
「Ａ　始動条件の成立に基づいて複数列の図柄の変動表示を行い、前記変動表示の結果が予め定められた特別表示結果になると遊技者に有利な特別遊技を実行することが可能な遊技機において、
　Ｂ　前記図柄を視認し難い態様で変動表示させた後に、図柄を視認し易い態様で仮停止表示させてから、前記変動表示の結果を示す図柄を確定停止表示させる変動演出を実行可能な表示制御手段を備え、
　Ｃ’、Ｄ　前記表示制御手段は、
　１の変動演出において、非特別表示態様の図柄を仮停止表示したときに、前記仮停止表示から前記確定停止表示に移行することを示唆する停止示唆演出を実行可能であり、
　Ｅ　前記１の変動演出において、
　前記特別遊技の期待度が高い特別演出が実行されない場合よりも、前記特別演出が実行される場合の方が、前記停止示唆演出を実行し易く、
　Ｆ　前記非特別表示態様で図柄を表示する場合に、第１図柄組み合わせにて表示される場合よりも、前記第１図柄組み合わせとは異なる第２図柄組み合わせにて表示される場合の方が、前記停止示唆演出を実行し易い
　Ｇ　遊技機。」である点で一致し、以下の点で相違する。
・相違点（特定事項Ｃ）
「１の変動演出において、」「停止示唆演出を実行可能」とする「仮停止表示」が、
　本願補正発明では、「前記特別表示結果となることを示す図柄の組み合わせが何れであっても」よいことを含むのに対し、
　引用発明では、非ゾロ目の態様（非特別表示態様）のみであり、ゾロ目の態様（特別表示結果）を含まない点。
（５）上記相違点について検討する。
　ア　上記（３）エで示した周知技術は、装飾図柄が仮停止表示を経て本停止表示する変動演出を実行可能なパチンコ遊技機において、ゾロ目態様で仮停止表示され、その後、再抽選演出等の演出が行われた後、前記ゾロ目態様又は別のゾロ目態様で本停止表示するものであり、前記ゾロ目態様はいずれのゾロ目態様も含む、というものである。
　そして、周知技術の「ゾロ目態様」、「再抽選演出等の演出」は、それぞれ本願補正発明の「特別表示結果」、「停止示唆演出」に相当するものであり、周知技術は、いずれのゾロ目態様（特別表示結果）でも仮停止表示され、その後、ゾロ目態様（特別表示結果）で本停止表示するものであるから、本願補正発明の特定事項Ｃに相当するものである。
　イ　引用発明と周知技術とは、装飾図柄が仮停止表示を経て本停止表示する変動演出を実行可能なパチンコ遊技機で技術分野が共通し、引用発明の復活煽り演出と周知技術の再抽選演出とは、特別遊技の示唆に関連する演出を通じて遊技の興趣向上に寄与する遊技機を提供するという課題でも共通することが明らかであるから、引用発明と周知技術に接した当業者であれば、引用発明において、周知技術を適用し、ゾロ目の態様で仮停止表示した後に、再抽選演出等の演出（停止示唆演出）を実行可能とし、その後本停止表示するようになすことは、容易に想到し得たものである。
　ウ　以上のとおりであるから、引用発明において、上記相違点に係る本願補正発明の特定事項となすことは当業者が周知技術に基づいて適宜なし得たことである。
（６）本願補正発明の奏する効果は、引用発明の奏する効果及び周知技術の奏する効果から予測することができた程度のものである。
（７）請求人の主張について
　ア　審判請求書について
（ア）請求人は、審判請求書の「[３]本発明が特許されるべき理由」の「（３−５）本発明と引用文献との対比について」において、概ね以下のとおり主張している。
「（１）本発明の特徴について
　本発明の遊技機は、
　構成（Ｃ−１）に示す
　１の変動演出において、特別表示結果となることを示す図柄の組み合わせが何れであっても、前記図柄を仮停止表示した後、前記仮停止表示から前記確定停止表示に移行することを示唆する停止示唆演出を実行可能であることを第１の特徴的技術構成とし、
　・・・略・・・
（４）引用文献１について
　引用文献１の「復活煽り演出」は、１の変動演出において、非ゾロ目（ハズレ）の態様の装飾図柄が確定停止表示される場合でも、ゾロ目（大当り）の態様の装飾図柄が確定停止表示される場合でも実行されます。
　しかし、「復活煽り演出」は、１の変動演出において、非ゾロ目（ハズレ）の態様の装飾図柄が仮停止表示されたときには実行されますが、ゾロ目（大当り）の態様の装飾図柄が仮停止表示されたときにはそれ以降実行されません。
　そもそも、復活煽り演出は、大当たりの可能性が残存していることを示唆する演出であるから、ゾロ目（大当り）の態様の装飾図柄を仮停止表示された時点で大当たりであることが報知されるので、実行されることはあり得ません。
　このように、引用文献１の復活煽り演出と本発明の停止示唆演出とは全く異なる演出でありますので、引用文献１には、本発明の第１の特徴的技術構成（Ｃ−１）について開示示唆されておりません。」
（イ）しかしながら、上記（５）で示したとおり、ゾロ目（大当り）の態様の装飾図柄を仮停止表示し、その後、再抽選演出等の演出（停止示唆演出）を実行した後、本停止表示すること、すなわち、本願補正発明の特定事項Ｃ（本発明の第１の特徴的技術構成（Ｃ−１））は周知技術といえ、該周知技術を引用発明（引用文献１に記載された発明）に適用して本願補正発明（本発明）のようになすことは当業者が容易に想到し得たものであるから、上記主張は採用できない。
　イ　上申書について
（ア）請求人は、上申書の【上申の内容】において、概ね以下のとおり主張している。
「４．・・・その一方で、「所定演出」を「停止示唆演出」に限定することにより、「仮停止表示→復活演出、昇格演出→『仮停止表示→停止示唆演出→確定停止表示』」となり、「復活演出」及び「昇格演出」が排除されて、仮停止表示の内容と確定停止表示の内容とが変化しないことが明確になります。
　・・・略・・・
　更に、本発明では、「停止示唆演出」を特定するために、「１の変動演出において、前記特別表示結果となることを示す図柄の組み合わせが何れであっても、前記図柄を仮停止表示した後に、」、「１の変動演出において、前記特別表示結果とならない非特別表示態様で図柄を仮停止表示したときに、」の必要な事項を限定しており、発明の内容を限定的に理解することができます。
　上記の限定事項により、「偶数揃いの大当たり図柄（或いは奇数揃いの大当たり図柄）が仮停止表示→停止示唆演出→偶数揃いの大当たり図柄（或いは奇数揃いの大当たり図柄）が確定停止表示」、「ハズレ図柄が仮停止表示→停止示唆演出→ハズレ図柄が確定停止表示」、となり、「復活演出」及び「昇格演出」が排除されて、仮停止表示の内容と確定停止表示の内容とが変化しないことがより明確になります。
５．理由２（請求の趣旨）において、「補正の却下の決定に対する不服申し立て」については、今般提出した手続補正書による特許請求の範囲での特許を求める予備的主張であります。誤解を与えるような見出しを記載してしまい申し訳ございません。
６．理由２において、当該意見書において、「本発明の効果」を説明していることに照らせば、復活演出、昇格演出を考慮外と理解することは極めて困難である、と報告されております。
　当該意見書での「本発明の効果」は、「所定演出（停止示唆演出）が行われるまで」の効果を記載し、所定演出が行わることによる効果ではありません。
　所定演出（停止示唆演出）が行われると仮停止表示された図柄が確定停止表示されるために復活演出や昇格演出が行われないので、所定演出（停止示唆演出）が行われることによって復活大当たりになることや確変大当たりに昇格することを期待させるということを意図した記載ではありません。
　また、上記のような誤解を解くために、審判請求書における「本発明の効果」において、「停止示唆演出」が行われることによる効果を記載しております。」
（イ）上記（ア）の主張について検討すると、「所定演出」を「停止示唆演出」に限定して明確とした点（上記４．及び６．）については、特許請求の範囲の記載の文言のとおり、「停止示唆演出」を「前記仮停止表示から前記確定停止表示に移行することを示唆する」ものと理解して、本願補正発明を認定した。また、「補正の却下の決定に対する不服申し立て」の点（上記５．）については、請求人が上申書で主張するとおり、主位的主張でないと解して判断した。仮に「補正の却下の決定に対する不服申し立て」の内容について検討したとしても結論に影響しない。
（８）まとめ
　以上のように、本願補正発明は、当業者が、引用発明及び周知技術に基いて容易に発明をすることができたものである。
　したがって、本願補正発明は、特許法第２９条第２項の規定により特許出願の際独立して特許を受けることができないものである。
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記第２のとおり却下されたので、本願に請求項１に係る発明は、令和１年１１月６日提出の手続補正書により補正された特許請求の範囲の請求項１に記載された事項により特定されるものであるところ、請求項１に係る発明（以下「本願発明」という。）は、上記第２〔理由〕１（１）にも本件補正前の請求項１として記載したとおりのものである。
２　原査定の拒絶の理由の概要
　原査定の拒絶の理由は、この出願の令和１年１１月６日提出の手続補正書により補正された請求項１に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない、というものを含むものである。
　引用文献１．特開２０１６−２０９２６８号公報
３　引用例
　引用例（引用文献１）及び引用発明は、上記第２〔理由〕３（２）アないしクに記載したとおりである。
４　対比
　本願発明（上記第２〔理由〕１（１））は、本願補正発明（上記第２〔理由〕３（１））において、「停止示唆演出」を「所定演出」に上位概念化するとともに、「Ｃ　前記表示制御手段は、１の変動演出において、前記特別表示結果となることを示す図柄の組み合わせが何れであっても、前記図柄を仮停止表示した後に、前記仮停止表示から前記確定停止表示に移行することを示唆する停止示唆演出を実行可能であり、Ｄ　１の変動演出において、非特別表示態様の図柄を仮停止表示したときに、前記仮停止表示から前記確定停止表示に移行することを示唆する停止示唆演出を実行可能であり、」の代わりに、「Ｃ”前記表示制御手段は、１の変動演出において、前記特別表示結果となる特別表示態様で図柄を表示する場合でも、前記特別表示結果とならない非特別表示態様で図柄を表示する場合でも、前記仮停止表示のときに前記仮停止表示から前記確定停止表示に移行することを示唆する所定演出を実行可能であり、」との特定事項（以下「特定事項Ｃ”」という。）を有するものである。
　引用発明と本願発明とを対比すると、上記第２〔理由〕３（４）のとおり、引用発明は、本願発明の特定事項Ａ、Ｂ、ＥないしＧ（本願補正発明の特定事項Ａ、Ｂ、ＥないしＧと「停止示唆演出」を「所定演出」に読み替える点以外は同じ。）を備える。
　本願発明の特定事項Ｃ”について検討すると、該特定事項Ｃ”は、「停止示唆演出」を上位概念化した「所定演出」が、「前記特別表示結果となることを示す図柄の組み合わせが何れであっても、前記図柄を仮停止表示した後に」に実行される場合と、「非特別表示態様の図柄を仮停止表示したとき」に実行される場合とがあることの限定、すなわち、仮停止表示する図柄の限定を省いたものである。要するに、本願発明は、上記相違点に係る本願補正発明の発明特定事項を含む事項を削除したものである。
　そうすると、引用発明は、本願発明の「Ｃ”前記表示制御手段は、１の変動演出において、前記特別表示結果となる特別表示態様で図柄を表示する場合でも、前記特別表示結果とならない非特別表示態様で図柄を表示する場合でも、前記仮停止表示のときに前記仮停止表示から前記確定停止表示に移行することを示唆する所定演出を実行可能であり、」との特定事項を備える。
　してみると、本願発明と引用発明とは、相違するところがなく、本願発明は引用発明と同一である。
　したがって、本願発明は、引用例に記載された発明である。
５　むすび
　以上のとおりであるから、本願発明は、特許法第２９条第１項第３号に該当し特許を受けることができない。
　よって、結論のとおり審決する。